(57)【要約】【課題】中空筒の重りが摺動降下すると奏鳴るする笛を提供する。【解決手段】貫通孔を設け、その貫通孔にリード４を取付けた蓋２を中空筒１の両端に取付け、中空筒１内に摺動可能な摺動重り３を挿入し、中空筒１の両端の蓋２のいずれかを下にして立てると、摺動重り３が下降し、中空筒１内で摺動重り３の下方の室の空気がリード４を通じて流出し、、摺動重り３の上方の室内へリード４を通じて空気を流入させ、前記空気の流出または流出の一方または双方で、リード４を奏鳴させることを可能とする。中空筒１の両端の蓋２のそれぞれに、空気を流出すると奏鳴するリード４と、空気を流入すると奏鳴するリード４を取付けてもよい。【選択図】        図１
2004279907.tif 000002
【特許請求の範囲】
【請求項１】
貫通孔を設け、その貫通孔にリードを取付けた蓋を、中空筒の両端に嵌合し、前記中空筒内に摺動可能な摺動重りを挿入してなり、前記中空筒を、両端のいずれかの蓋を下にして立てると、前記摺動重りが下降し、中空筒内で、摺動重りの下方の室の空気を前記リードを通じて流出させ、摺動重りの上方の室内へリードを通じて空気を流入させ、前記空気の流出または流入の一方または双方で、前記蓋のリードを奏鳴させることを可能とする重りの摺動で奏鳴する笛。
【請求項２】
蓋に取付けたリードが、空気を流出すると奏鳴するもの、または空気を流入すると奏鳴するものよりなることを特徴とする請求項１に記載の重りの摺動で奏鳴する笛。
【請求項３】
中空筒の両端の蓋のそれぞれに、空気を流出すると奏鳴するリードと、空気を流入すると奏鳴するリードを取付けてなることを特徴とする請求項１に記載の重りの摺動で奏鳴する笛。
【発明の詳細な説明】
【０００１】
【発明の属する技術分野】
この発明は、重りが摺動する事により奏鳴する笛（以下摺動笛という）に関するものである。
【０００２】
【従来の技術】
従来、重りの摺動により奏鳴する笛としては実公平７−２５９９６（特許文献１）により開示された摺動笛がある。
この摺動笛は、中空円筒体の一端を盲蓋で閉じ、他端を通孔のある蓋で閉じ、内部にリードを取付けた摺動筒を収納し、中空円筒体を手に持って振ることによって、摺動笛が通孔のある蓋方向に摺動したときに笛が奏鳴するものである。
【０００３】
【特許文献１】
実公平７−２５９９６号公報（請求項１、００１８、００２８、００２９、図１、図２、図１２〜１５）
【０００４】
【発明が解決しようとする課題】
上記従来の摺動笛は、リードを取付けた摺動筒が、通孔を有する蓋方向への摺動、すなわち、一方方向への摺動で笛が奏鳴し、反対方向への摺動の際には奏鳴しない。
また、摺動筒には１つのリードが取り付けられているので１つの音しか奏鳴しない。
さらに摺動筒の構成が複雑で製造にコストがかかる。
【０００５】
この発明は、中空筒の両端部の蓋にリードを取り付け、中空筒内の重りが、降下することによりリードが奏鳴する笛、または、重りが中空筒のいずれの端部方向に摺動しても両端の笛が奏鳴し、和音が奏でられる笛であり、製造し易く、安価に製造できる重りで奏鳴する笛を提供することを目的とする。
【０００６】
【課題を解決するための手段】
貫通孔を設け、その貫通孔にリードを取付けた蓋を、中空筒の両端に嵌合し、前記中空筒内に摺動可能な摺動重りを挿入してなり、前記中空筒を、両端のいずれかの蓋を下にして立てると、前記摺動重りが下降し、中空筒内で、摺動重りの下方の室の空気を前記リードを通じて流出させ、摺動重りの上方の室内へリードを通じて空気を流入させ、前記空気の流出または流入の一方または双方で、前記蓋のリードを奏鳴させることを可能とする。
【０００７】
蓋に取付けたリードを、空気を流出すると奏鳴するもの、または空気を流入すると奏鳴するものとする。
【０００８】
中空筒の両端の蓋のそれぞれに、空気を流出すると奏鳴するリードと、空気を流入すると奏鳴するリードを取付けるのが好ましい。
【０００９】
【発明の実施の形態】
この発明の実施の形態を図面により説明する。
図中、１は中空筒、２は蓋、３は摺動重りである。
【００１０】
中空筒１は木、竹、金属、プラスチック製のいずれでもよい。
中空筒１は角筒でもよいが、円筒が製造し易く、摺動重り３の製造も容易であるので好ましい。
【００１１】
蓋２は、中空筒１の両端に係止し、それぞれに貫通孔を有し、その貫通孔にリード４を嵌入取り付ける。
５はリード４の振動舌片である。
【００１２】
リード４は、双方の蓋２に、中空筒１内にリード４内を通って空気が流入する際に奏鳴するリード４、４を取り付けてもよく、または、双方の蓋２に取り付けるリード４は、空気が中空筒１内からリード４を通って外へ流出する際に奏鳴するリード４を取り付けてもよく、更にまた、中空筒１の一方の蓋２には空気がリード４を通って中空筒外へ流出する際に奏鳴し、他方の蓋２には、空気がリード４を通って中空筒１内へ流入することにより奏鳴するリード４を取り付けてもよい。
【００１３】
図２の摺動笛は、中空筒１の両端の蓋２のそれぞれに複数のリード４を取り付けたものである。
この場合には、それぞれの蓋２に、中空筒１内から空気がリード４を通って流出する場合に奏鳴するリード４と、空気が流入する場合に奏鳴するリード４を取り付ければ、摺動笛を、いずれの端部を下にして立てても音を奏鳴するので好ましい。
【００１４】
摺動重り３は、金属、セラミック製か、またはプラスチックに金属粒体を混合して成形したものでもよく、または、材質を問わず重量があり、中空筒１を立てたときに中空筒１内を摺動して降下し、中空筒１内の空気をリード４外に圧送し、リード内を通って外部へ流出させ、リード４を奏鳴させるものであればよい。
【００１５】
摺動重り３の外周にリング状の溝を設けて、Ｏリング７を嵌め、中空筒１の内面と摺動重り３の外面とを密封するのが好ましい。
Ｏリング７は中空筒内面を僅かに押して、摺動重り３の摺動に支障を来さないようにする。
【００１６】
摺動笛をテーブル等に立てたときに、蓋４の面がテーブル等の面に接して、リードを通じて空気が流出、流入するのを防げないように、蓋２の外面周縁に複数の突起６を設けるのが好ましい。
【００１７】
摺動笛を立てると、摺動重り３が、中空筒１内を摺動降下し、摺動重り３の下方の中空筒内の室の空気を下方リード４より外へ流出させ、摺動重り３の上方では、中空筒内の室へ上方のリード４を通って空気を中空筒１内へ流入させる。
空気の流出または流入によって奏鳴するリード４は、上記の摺動重り３による空気の流出または流入によって奏鳴する。
【００１８】
摺動重り３が、摺動降下を終え、摺動笛を逆に立て変えると、摺動重り３が摺動降下し、上記と同様の要領でリード４が奏鳴する。
【００１９】
【発明の効果】
本件発明に係る摺動笛は、両端の蓋のリードの双方が、空気を流出するときに奏鳴するものか、または、空気を流入するときに奏鳴するものを取付けたものであるときには、摺動笛を立てて重りが下方向に摺動するときに下方のリードが奏鳴する。
【００２０】
両端の蓋のリードが、一方が空気を流出するときに奏鳴するものを取付けたものであり、他方が空気を流入するときに奏鳴するものを取付けたものであるときには、空気を流出するときに奏鳴するリードを下方にして摺動笛を立てた場合に、重りが下方向に摺動すると、双方のリードが共に奏鳴する。
【００２１】
摺動笛の両端の蓋のそれぞれに、空気を流出するときに奏鳴するリードおよび空気を流入するときに奏鳴するリードを取付けた場合には、重りのを下方への摺動により、中空筒内の重りの下方では空気は流出し、上方では空気を吸入するので、摺動笛をどちらを上にして立てても、下方にした蓋のリードのうち、空気を流出するときに奏鳴するものが奏鳴し、同時に、上方にした蓋のリードのうち、空気を流入するときに奏鳴するものが奏鳴する。従って、摺動笛を何れの端部を下方にしても奏鳴するので、摺動笛を立て変えて音を楽しむことができる。
【００２２】
両端の蓋に音色の異なるリードを取り付けると、異なる音色を楽しむことができ、また、同時に奏鳴する複数のリードのそれぞれの音色を異にすれば、美しい和音を楽しむことができる。
また、蓋のリードを音色の異なるリードに取り替えることにより、色々な音を楽しむことができる。
【図面の簡単な説明】
【図１】本件発明に係る摺動笛の縦断面図である。
【図２】本件発明に係る他の実施の形態の摺動笛の縦断面図である。
１  中空筒
２  蓋
３  摺動重り
４  リード
５  舌片
６  突起
７  Ｏリング
【図１】
2004279907.tif 000003
【図２】
2004279907.tif 000004